(57)【要約】【課題】防犯、防災、交通安全及び環境美化を含む公共的なテーマに係るメッセージについて、一目瞭然で、より一層普及させることが可能な広告媒体の制作方法及び広告媒体を提供する。【解決手段】広告媒体を製作する方法は、広告媒体１の本体１０を準備するステップ（ａ）と、本体１０に表示部２０を設けるステップ（ｂ）と、を備え、表示部２０が、防犯、防災、交通安全及び環境美化を含む公共的なテーマに係るメッセージを表示するメッセージ表示部３０と、メッセージ表示部３０の上側又は下側に設けられ、広告媒体１を寄贈した寄贈者の氏名又は名称を表示する寄贈者表示部４０と、を含む。【選択図】図１
2017156421.tif 000002
【特許請求の範囲】
【請求項１】
広告媒体を製作する方法であって、
前記広告媒体の本体を準備するステップ（ａ）と、
前記本体に表示部を設けるステップ（ｂ）と、を備え、
前記表示部が、
防犯、防災、交通安全及び環境美化を含む公共的なテーマに係るメッセージを表示するメッセージ表示部と、
前記メッセージ表示部の上側又は下側に設けられ、前記広告媒体を寄贈した寄贈者の氏名又は名称を表示する寄贈者表示部と、を含むことを特徴とする方法。
【請求項２】
前記メッセージ表示部及び／又は前記寄贈者表示部を外側又は内側から照射する照明部を設けるステップ（ｃ）をさらに備えることを特徴とする請求項１に記載の方法。
【請求項３】
前記メッセージ表示部及び／又は前記寄贈者表示部に表示された内容を音声で発信する音声部を設けるステップ（ｄ）をさらに備えることを特徴とする請求項１又は２に記載の方法。
【請求項４】
前記広告媒体に近寄った人又はタッチした人を感知する人感センサを設けるステップ（ｅ）をさらに備えることを特徴とする請求項１から３のいずれか１項に記載の方法。
【請求項５】
広告媒体であって、
前記広告媒体の本体と、
前記本体の表面に設けられた表示部と、を備え、
前記表示部が、
防犯、防災、交通安全及び環境美化を含む公共的なテーマに係るメッセージを表示するメッセージ表示部と、
前記メッセージ表示部の上側又は下側に設けられ、前記広告媒体を寄贈した寄贈者の氏名又は名称を表示する寄贈者表示部と、を含むことを特徴とする広告媒体。
【発明の詳細な説明】
【技術分野】
【０００１】
本発明は、公共的なテーマに係るメッセージについて表示する屋外用の広告媒体の制作方法及び広告媒体に関する。
【背景技術】
【０００２】
従来、公の場所において広告を表示する種々の広告媒体が知られている（例えば、特許文献１参照）。
【０００３】
特許文献１は、電車の駅ホームや構内の太い円柱に宣伝効果が高く、且つ電車の利用客の通行には邪魔にならない体裁の良い円柱用広告表示器を提供することを目的として、円柱抱持内面と広告表示外面を有する円筒体を形成する２個一対の半円筒体から成り、その半円筒体の円形外面カバー体をアクリルプレートで成形し、且つ広告表示面を透明体とし、且つその内側に半円形の透光性ガイドプレートを設け、ガイドプレートの内側に複数の蛍光灯を縦方向に設置し、半円筒体内部における左右両側端部位に巻取りシャフトを起立し、その両巻取りシャフトに複数の区画で広告表示した横長フィルムを装着すると共に、表示窓に表れる単位フィルムの左右両縦縁辺をジプロックで装着し、左右の巻取りシャフトの近傍にモータを設置して伝動機構を介して巻取りできるようにし、半円筒体の接合面を止め具で締着する構成の円柱用広告表示器を開示している。
【０００４】
しかしながら、この考案は、商業用広告であり、防犯、防災、交通安全及び環境美化を含む公共的なテーマに係るメッセージを、その広告媒体の寄贈者の氏名又は名称とともに表示するには、一般の人が見たときに一目瞭然ではなく、適していないという問題があった。
【先行技術文献】
【特許文献】
【０００５】
【特許文献１】実用新案登録第３０８７２５９号公報
【発明の概要】
【発明が解決しようとする課題】
【０００６】
そこで、本発明は、以上のような事情に鑑みてなされたものであり、その目的は、防犯、防災、交通安全及び環境美化を含む公共的なテーマに係るメッセージについて、一目瞭然で、より一層普及させることが可能な広告媒体の制作方法及び広告媒体を提供することにある。
【課題を解決するための手段】
【０００７】
上記課題を解決するため、本発明は、以下のような解決手段を提供する。
【０００８】
（１）本発明に係る第１の観点は、広告媒体を製作する方法であって、前記広告媒体の本体を準備するステップ（ａ）と、前記本体に表示部を設けるステップ（ｂ）と、を備え、前記表示部が、防犯、防災、交通安全及び環境美化を含む公共的なテーマに係るメッセージを表示するメッセージ表示部と、前記メッセージ表示部の上側又は下側に設けられ、前記広告媒体を寄贈した寄贈者の氏名又は名称を表示する寄贈者表示部と、を含むことを特徴とする。
【０００９】
（２）上記（１）の構成において、前記メッセージ表示部及び／又は前記寄贈者表示部を外側又は内側から照射する照明部を設けるステップ（ｃ）をさらに備えてもよい。
【００１０】
（３）上記（１）又は（２）の構成において、前記メッセージ表示部及び／又は前記寄贈者表示部に表示された内容を音声で発信する音声部を設けるステップ（ｄ）をさらに備えてもよい。
【００１１】
（４）上記（１）から（３）のいずれか１つの構成において、前記広告媒体に近寄った人又はタッチした人を感知する人感センサを設けるステップ（ｅ）をさらに備えてもよい。
【００１２】
（５）本発明に係る第２の観点は、広告媒体であって、前記広告媒体の本体と、前記本体の表面に設けられた表示部と、を備え、前記表示部が、防犯、防災、交通安全及び環境美化を含む公共的なテーマに係るメッセージを表示するメッセージ表示部と、前記メッセージ表示部の上側又は下側に設けられ、前記広告媒体を寄贈した寄贈者の氏名又は名称を表示する寄贈者表示部と、を含むことを特徴とする。
【発明の効果】
【００１３】
本発明によれば、防犯、防災、交通安全及び環境美化を含む公共的なテーマに係るメッセージについて、一目瞭然で、より一層普及させることが可能な広告媒体の制作方法及び広告媒体を提供することができる。
【図面の簡単な説明】
【００１４】
【図１】本発明の実施形態に係る防犯用の看板の一例を示す図であって、（ａ）は寄贈者表示部が下側にある例を、（ｂ）は寄贈者表示部が上側にある例を、それぞれ示している。
【図２】同じく、交通安全用の看板の一例を示す図であって、（ａ）は寄贈者表示部が下側にある例を、（ｂ）は寄贈者表示部が上側にある例を、それぞれ示している。
【図３】同じく、環境美化用の看板の一例を示す図であって、（ａ）は寄贈者表示部が下側にある例を、（ｂ）は寄贈者表示部が上側にある例を、それぞれ示している。
【図４】照明部を設けた看板の一例を示す図であって、（ａ）は照明部が内蔵された例を、（ｂ）は照明部が露出した例を、それぞれ示している。
【図５】音声部を設けた看板の一例を示す図であって、（ａ）は音声部が内蔵された例を、（ｂ）は音声部が露出した例を、それぞれ示している。
【図６】人感センサを設けた看板の一例を示す図である。
【図７】本発明の実施形態に係る看板を製作する工程を示すフローチャートである。
【発明を実施するための形態】
【００１５】
以下、添付図面を参照して、本発明を実施するための形態（以下、実施形態という）について詳細に説明する。なお、実施形態の説明の全体を通して同じ要素には同じ番号を付している。
【００１６】
（看板１の構成）
実施形態に係る広告媒体としては、看板１のほか、ポスター、のぼり、シール、カードなどが挙げられるが、まずは看板１について説明し、その他の態様については、変形例として後述する。図１は本発明の実施形態に係る看板１の一例を示す図である。看板１は、その本体１０と、本体１０の表面に設けられた表示部２０を備えている。そして、表示部２０は、公共的なメッセージ（ここでは、防犯を呼びかけるメッセージとして「防犯  警戒中！」の文字と警官及び婦人警官のイラストが付されている）を表示するメッセージ表示部３０と、看板１を寄贈した寄贈者（スポンサー）の氏名又は名称（ここでは、「○○○商店」）を表示する寄贈者表示部４０を含んでいる。
【００１７】
寄贈者表示部４０は、「寄贈」の表示欄４１と、「寄贈者の氏名又は名称」の表示欄４２から構成されている。「寄贈」の表示欄４１には「寄贈」の文字が記載されており、看板１が寄贈されたものであることを明示している。「寄贈者の氏名又は名称」の表示欄４２には寄贈者の氏名又は名称が記載されるが、ここで示したような「○○○商店」という表記に限られるものではなく、「□□□□（個人名）」、「△△△株式会社」や「×××マンション管理組合」など、看板１を寄贈した個人、法人、団体の名称としてよい。
【００１８】
なお、図示していないが、寄贈者の氏名又は名称に加えて、寄贈者が所在する町名や地区名などの地域名も併せて表示することにしてもよい。そうすることにより、看板１を見た住民と寄贈者との連帯感を醸成して、防犯の効果をより一層高めることができる。
【００１９】
図１のうち、図１（ａ）は、上側にメッセージ表示部３０、下側に寄贈者表示部４０が設けられている例を、図１（ｂ）は、上側に寄贈者表示部４０、下側にメッセージ表示部３０が設けられている例を、それぞれ示している。この配置については、看板１の大きさや配置される場所、メッセージ表示部３０に表示されるメッセージの内容などを基に寄贈者の希望を取り入れながら、選択的に設定することができる。メッセージ表示部３０と寄贈者表示部４０は、例えばレンチキュラーレンズを用い、見る角度によって、上下の配置が変わったり、それぞれの内容が切り替るようにしてもよい。また、少しずつ異なる内容を組み合わせて歩行しながら見ると動画効果のあるものや、視差を利用した立体感のある３Ｄ効果のあるものとしてもよい。
【００２０】
一般に商業広告に係る看板の場合、商品情報が中心となり、製造者や販売者の名称は相対的に小さく表示されるケースが多いが、本実施形態に係る看板１は、公共的なメッセージの内容に加え、看板１が寄贈によって設置されていることの価値を考慮して、寄贈者表示部４０は、図示されているように、寄贈者の氏名又は名称が一目瞭然となるように、メッセージ表示部３０とは区画して相対的に大きく設定されている。仮に、犯罪を起こそうと考えている人間がこのような看板１を見ると、単に「防犯  警戒中！」とするよりも、一種の住民パトロールとして寄贈者から見られているような印象を受け、犯罪の実行をためらう効果がより一層期待できる。
【００２１】
ここで、看板１の本体１０の態様としては、特に限られるものではなく、その素材や形状、大きさなどは、設置場所などを勘案して任意に設定してよい。ただし、本実施形態に係る看板１は、防犯用のものである場合、例えば、年末年始、防犯キャンペーン期間など定期的に期間を定めて取り替えることもあることから、設置中は天候などに左右されないとともに、設置／回収作業中は運搬便利なものが望ましい。このような観点からは、耐久性があり持ち運び時には軽くすることができる樹脂製のものが好適である。なお、看板１を、例えば電柱などの円筒状のものに巻きつけて設置するような場合には、可撓性に富んだ素材又は構造のものを選択する。
【００２２】
また、本体１０と表示部２０は、実質的に一体的に形成されたものであってもよい。これまでの説明では、本体１０とは別体の表示部２０を本体１０の表面に設ける場合（例えば、表示部２０を紙又はシールで構成して本体１０の表面に貼り付ける）を想定して記載しているが、本体１０の表面に直接塗布することによって表示部２０を構成したり、本体１０をフレーム体として表示部２０を差替え可能なパネルで構成したりしてもよい。
【００２３】
以上で説明したような表示部２０の内容は、例えばパソコンなどによって作成できることはもちろんである。看板１は、設置者が寄贈者を募って、その寄贈者の氏名又は名称を表示して製作するものであり、寄贈者の氏名又は名称に加えて、所在の町名や地区名、住所、自身が寄贈したい看板１のメッセージの内容などをパソコンで管理すれば便宜である。例えば、パソコンのデータベースに予め記録されたメッセージの内容を寄贈者に送信して選択してもらったり、表示部２０の完成予想図を送信して寄贈者に事前確認してもらったりしてもよい。さらには、設置者と寄贈者が一緒になって、表示部２０のレイアウト、配色、書体などをパソコン上で共同製作することができ、寄贈者の参加意識も十分に高めることが可能となる。
【００２４】
ところで、本実施形態に係る看板１は、公共的なメッセージを表示するものであるが、上記した防犯に限らず、防災、交通安全、環境美化を含む多彩な分野についても、適用される。図２は、交通安全の例として「駐車禁止」を取り上げたものである。また、図３は、環境美化の例として「タバコ  ポイ捨て禁止」を取り上げたものである。いずれの場合も、前述したように、寄贈者の氏名又は名称が相対的に大きく表示されていることから、一種の住民パトロールとして寄贈者から見られているような印象を受け、これらの実行をためらう効果がより一層期待できる。なお、寄贈者表示部４０を上側又は下側に配置することは、防犯用と同様である。
【００２５】
次に、看板１の他の態様１について、説明する。看板１は、基本的に視覚に訴える媒体であるが、図４に示す他の態様１は、夜間においても視覚に訴えられるよう、照明部５０を設けたものである。図４（ａ）は、交通安全用の「駐車禁止」の看板１に、本体１０の上部に設けたフード５１に覆われた照明部５０を設けた例を示している。光源５２は、照明部５０のフード５１の内側に位置している。図４（ｂ）は、環境美化用の「タバコ  ポイ捨て禁止」の看板１に、本体１０の上部に取り付けられた照明部５０を設けた例を示している。光源５２は、照明部５０のフード５１（傘）の内側に設けられている。図４では、照明部５０を１箇所に設けているが、メッセージ表示部３０と寄贈者表示部４０とを別々に照射すべく、照明部５０を複数設けても差し支えない。
【００２６】
図４で示した照明部５０は、いずれも、表示部２０を外側から照射するものであるが、表示部２０を透過式に構成して、光源５２を本体１０の内側に配置してもよい。光源５２としては、白熱電球、蛍光灯のほかに、ＬＥＤ、ＥＬ、ＶＦＤ、ＰＤＰ、ＬＣＤ等を用いることができる。また、照射方法としては、常時点灯表示させる方法、点滅表示させる方法、スクロール表示させる方法等が挙げられる。これによって、看板１が注意を引くものとなってメッセージ発信効果が得られる。点灯はあらかじめ設定しておいてもよいし、例えば後述するような人感センサ７０によって起動するようにしてもよい。
【００２７】
次に、看板１の他の態様２について、説明する。看板１は、基本的に視覚に訴える媒体であるが、図５に示す他の態様２は、より一層の効果を期待してメッセージや寄贈者の氏名又は名称を音声で発信する、音声部６０を設けたものである。図５（ａ）は、交通安全用の「駐車禁止」の看板１に、本体１０の上部に設けたフード５１に覆われた音声部６０（内蔵スピーカー）を設けた例を示している。図５（ｂ）は、環境美化用の「タバコ  ポイ捨て禁止」の看板１に、本体１０の上部に取り付けられた音声部６０（外付けスピーカー）を設けた例を示している。ここでは、図示していないが、本体１０の中に、該当する公共的なメッセージや寄贈者の氏名又は名称を録音した機器を設置しておき、定期的に音声を発信するようにしてもよいし、例えば後述するような人感センサ７０によって起動するようにしてもよい。
【００２８】
次に、看板１の他の態様３について、説明する。看板１は、基本的に視覚に訴える媒体であるが、図６に示す他の態様３は、照明部５０や音声部６０を起動させる契機として、人感センサ７０を設けたものである。図６は、交通安全用の「駐車禁止」の看板１に、本体１０の上部に設けたフード５１に人感センサ７０を設けた例を示している。人感センサ７０としては、例えば赤外線センサが好適に用いられる。人が看板１に近寄ったとき、人感センサ７０が感知し、照明部５０を点灯させたり、音声部６０から音声を発信させたりすることができる。看板１に関心を示していない人であっても、ある一定の距離の範囲内に近寄ると、自動的に、照明又は音声が生じるため、確実に注意を喚起することができる。
【００２９】
（看板１の製作方法）
上記した看板１について、その制作方法を図７を用いて説明する。なお、図７では公共的なメッセージとして防犯を採り上げているが、防災、交通安全、環境美化その他のメッセージについても同様である。また、図７に示すフローチャートは代表的な流れを図示しているが、合理的な範囲において、各ステップの先後関係は図示のものに限られない。
【００３０】
まず、看板１の設置者は、防犯用の看板１の寄贈者を募る（ステップＳ１１）。この過程で、公共的なメッセージの見本を公開して、寄贈者が応募し易いように取り計らうようにしてもよい。次に、応募のあった中から寄贈者を決定する（ステップＳ１２）。ここでは、寄贈者の氏名又は名称をはじめとする寄贈者に関する情報を記録する。そして、看板１の設置者と寄贈者が打ち合わせて防犯メッセージを決定する（ステップＳ１３）。この過程では、看板１の表示部２０に表示する具体的なメッセージの内容、レイアウト、配色、書体などを設置者と寄贈者とで打ち合わせるとよい。
【００３１】
以上の準備が終わると、看板１の本体１０を準備する（ステップＳ１４。ステップ（ａ）ともいう）。このとき、設置場所やメッセージの内容などに応じて、本体１０の素材、大きさ、形状、特性などを確定して準備する。
【００３２】
次に、本体１０に表示部２０を設ける（ステップＳ１５。ステップ（ｂ）ともいう）。ここでは、設置者と寄贈者の打ち合わせによって決定した内容を、メッセージ表示部３０及び寄贈者表示部４０に表示する。表示にあたっては、例えば、表示部２０を紙又はシールで構成して本体１０の表面に貼り付けてもよいし、そのほかにも、本体１０の表面に直接塗布することによって表示部２０を構成したり、本体１０をフレーム体として表示部２０を差替え可能なパネルで構成したりしてもよい。
【００３３】
ステップＳ１５が終了した後は、照明部５０を設ける（ステップＳ１６。ステップ（ｃ）ともいう）、音声部６０を設ける（ステップＳ１７。ステップ（ｄ）ともいう）、人感センサ７０を設ける（ステップＳ１８。ステップ（ｅ）ともいう）を、所望に応じて実行する。これらが終わると、看板１の製作が完了する（ステップＳ１９）。
【００３４】
（変形例）
以上では、広告媒体の一例として看板１について説明したが、このほかにも、広告媒体は、表示部２０、メッセージ表示部３０、寄贈者表示部４０を設けたポスター、のぼり、シール、カードなどの態様としてもよい。看板１がそれ自体で自立して路上などに設置できるのに対し、ポスターであれば公共的な掲示板又は住民有志の方の塀などに掲示することができ、のぼりであれば街路の電柱や並木などに結び付けることができ、シールであれば通行人に配布したり種々の物品などに貼着したりすることができ、カードであれば定期入れに携帯したりすることができ、それぞれの特性に応じて、効果的な広告媒体とすることができる。
【００３５】
照明部５０、音声部６０、人感センサ７０については、広告媒体の態様に応じて、例えば、次のように施すことができる。すなわち、のぼりの場合には照明部５０、音声部６０、人感センサ７０をのぼりの支柱に設けることができるし、ポスター、シール、カードの場合には照明部５０、音声部６０、人感センサ７０をＩＣチップなどの電子部品によって薄小型に構成することによって内蔵してもよい。例えば、ポスターを例に取れば、ポスターに内蔵された人感センサ７０にタッチすることにより（タッチを誘導する目印を設けておいてもよい）、ポスターの寄贈者表示部４０が光ったり、メッセージ表示部３０のメッセージが音声で読み上げられたりするようにすることができる。
【００３６】
（実施形態の効果）
以上説明した本実施形態及び変形例によれば、防犯、防災、交通安全及び環境美化を含む公共的なテーマについて、より一層普及させることが可能な広告媒体（看板１、ポスター、のぼり、シールなど）の制作方法を提供することができる。
【００３７】
以上、実施形態について説明したが、本発明は、具体的な実施形態に限定されるものではなく、種々の変更を行ったものも含まれるものであり、そのことは、当業者にとって特許請求の範囲の記載から明らかである。
【００３８】
例えば、看板１の本体１０には、近隣の犯罪状況を見守る防犯カメラや防犯アラームが組み込まれていてもよい。このような構成にすることで、万が一、犯罪が発生した際に被害者の救済、犯罪者の検挙に役立てることができる。
【００３９】
また、看板１の本体１０には、太陽電池を備えていてもよい。このような構成とすることで、電源の確保が困難な設置場所であっても、照明部５０、音声部６０、人感センサ７０等の電源を確保することが可能である。
【符号の説明】
【００４０】
１…看板（広告媒体）
１０…本体
２０…表示部
３０…メッセージ表示部
４０…寄贈者表示部
４１…「寄贈」の表示欄
４２…「寄贈者の氏名又は名称」の表示欄
５０…照明部
５１…フード
５２…光源
６０…音声部
７０…人感センサ
【図１】
2017156421.tif 000003
【図２】
2017156421.tif 000004
【図３】
2017156421.tif 000005
【図４】
2017156421.tif 000006
【図５】
2017156421.tif 000007
【図６】
2017156421.tif 000008
【図７】
2017156421.tif 000009